(57)【要約】【課題】  アナログ放送信号及びデジタル放送信号に対する予約録画を１つのメニュー画面を通じて行なえるコンボシステム及びその予約録画方法を提供する。【解決手段】  デジタル放送信号を受信するデジタル放送信号受信装置とアナログ放送信号を受信し記録媒体にビデオ／オーディオ信号を記録再生する記録再生装置を含むコンボシステムが開示される。アナログ放送信号及びデジタル放送信号のうちいずれか１つを選択的に予約録画するための選択モードを入力するためのメニュー画面を提供する制御部及び制御部からメニュー画面で入力された選択モードを格納して、格納された選択モードによってアナログ放送信号及びデジタル放送信号のうちいずれか１つを記録媒体に記録するための予約録画モードを設定する記録／再生装置の制御部を含む。従って、１つのメニュー画面を通じてアナログ放送信号及びデジタル放送信号の予約録画機能を設定して簡単に予約録画を行なう。【選択図】      図１
2005260941.tif 000002
【特許請求の範囲】
【請求項１】
放送信号を受信し、これを格納する録画装置において、
デジタル放送信号を受信するデジタル受信部と、
アナログ放送信号を受信するアナログ受信部と、
デジタル／アナログ放送信号を格納する格納部と、
ユーザから予約録画情報を入力されるためのメニュー画面を出力し、ユーザから予約録画情報が入力されると、これを格納した後前記予約録画情報に基づき前記デジタル受信部及び前記アナログ受信部のうちいずれか１つによって該当する放送信号を受信して前記格納部に記録する制御部とを含み、
前記メニュー画面はデジタル放送信号及びアナログ放送信号を選択できるモード選択項目を含み、前記モード選択項目によって前記制御部は前記デジタル受信部及び前記アナログ受信部から選択的に放送信号を受信して前記格納部に記録することを特徴とする録画装置。
【請求項２】
前記メニュー画面は放送チャンネル、開始時間及び終了時間を入力されるための項目をさらに含むことを特徴とする請求項１に記載の録画装置。
【請求項３】
前記デジタル受信部は、
複数のデジタル放送信号のうちユーザが選択したチャンネルをチューニングするチューナと、
該チューナから出力されたデジタル放送信号を復調し、復調された信号をビデオ信号、オーディオ信号及び放送情報信号に逆多重化する復調器と、
前記逆多重化されたビデオ信号、オーディオ信号及び放送情報信号をデコーディングして圧縮されたビデオ及びオーディオ信号を出力するデコーダと、
ドライバー、応用プログラム及び圧縮グラフィックユーザインタフェースデータを格納するメモリと、
前記チューナのチューニング制御及び前記デコーダのデコーディング制御を含めて前記デジタル受信部を全般的に制御するコントローラと、を含むことを特徴とする請求項１に記載の録画装置。
【請求項４】
前記グラフィックユーザインタフェースデータはグラフィックユーザインタフェース環境を具現するためのメニュー画面を含むことを特徴とする請求項３に記載の録画装置。
【請求項５】
前記グラフィックユーザインタフェースデータは、ＭＰＥＧ(Moving Pictures Expert Group)、ＪＰＥＧ(Joint Picture Expert Group)圧縮フォーマットを含む所定のフォーマットに圧縮及び格納されることを特徴とする請求項４に記載の録画装置。
【請求項６】
デジタルビデオディスク再生装置(ＤＶＤ)をさらに含むことを特徴とする請求項１に記載の録画装置。
【請求項７】
前記デジタルビデオディスク再生装置は、
ＤＶＤコーダ／デコーダ、ＤＶＤ信号処理装置、ＤＶＤデッキ、ＤＶＤコントローラ、ＤＶＤメモリ、及びＤＶＤ／ＶＣＲメニュー格納装置を含むことを特徴とする請求項６に記載の録画装置。
【請求項８】
前記ＤＶＤコーダ／デコーダは引き込まれたコンパクトディスク(ＣＤ)またはＤＶＤに記録されたデータを読み出すことを特徴とする請求項７に記載の録画装置。
【請求項９】
前記ＤＶＤ信号処理装置はＤＶＤコーダ/デコーダから受信されたデータを処理し受信されたデータのエラーを訂正することを特徴とする請求項７に記載の録画装置。
【請求項１０】
前記ＤＶＤコーダ／デコーダはＤＶＤプレーヤから受信され前記ＤＶＤ信号処理装置に伝送され記録されるデータを所定のフォーマットに圧縮し、ＤＶＤ信号処理装置から受信されたデータを再生し受信されたデータの圧縮を解除して出力し、ＤＶＤコデックは前記メモリに圧縮格納され出力されたグラフィックユーザインタフェースデータの圧縮を解除することを特徴とする請求項７に記載の録画装置。
【請求項１１】
前記アナログ受信部、ビデオ信号スイッチ、入／出力端末、ＶＣＲ信号処理装置、ＶＣＲデッキ、ＶＣＲメモリ及び操作部を含むビデオカセットレコーダをさらに含むことを特徴とする請求項１に記載の録画装置。
【請求項１２】
前記アナログ受信部は受信された複数のアナログ放送信号から選択されたチャンネルをチューニングしてチューニングされた放送信号を復調することを特徴とする請求項１１に記載の録画装置。
【請求項１３】
前記ＶＣＲデッキは引き込まれた磁気テープにデータを記録したり前記磁気テープから記録されたデータを読み出すことを特徴とする請求項１１に記載の録画装置。
【請求項１４】
前記ビデオ信号スイッチは、デジタル地上波ＴＶ、前記ＤＶＤ部、前記アナログ受信部及び前記ＶＣＲ信号受信部から出力された前記ビデオ信号をＩ／Ｏ端末にフォワーディングし、また前記Ｉ／Ｏ端末を通じて外部装置から入力されたビデオ信号を前記ＤＶＤ部及びＶＣＲ部及び信号処理部へ選択的にフォワーディングすることを特徴とする請求項１１に記載の録画装置。
【請求項１５】
前記コントローラは、前記操作部から入力された操作命令に従って前記装置を全般的に制御し、またデジタル地上波ＴＶコントローラ、ＤＶＤコントローラと通信して、前記デジタル地上波ＴＶコントローラ及び前記ＤＶＤコントローラの動作を制御することを特徴とする請求項１１に記載の録画装置。
【請求項１６】
前記メモリは前記ＶＣＲコントローラのために必要なドライバー及び応用プログラムを格納し、また電源オフ時保存されるべき重要データを格納することを特徴とする請求項１１に記載の録画装置。
【請求項１７】
前記操作部は前記装置の選択された機能及び動作制御と関した操作命令を受信するユーザインタフェースを含むことを特徴とする請求項１１に記載の録画装置。
【請求項１８】
デジタル放送信号及びアナログ放送信号が全て受信可能であり、これを選択的に格納して録画する録画装置における予約録画機能を提供する方法において、
予約録画情報を入力されるためのメニュー画面を出力する段階と、
ユーザからデジタル放送信号及びアナログ放送信号のうちいずれか１つを選択される段階と、
チャンネル及び録画時刻を示す情報を入力する段階と、
前記予約録画情報を格納し、前記格納された予約録画情報に基づき前記デジタル放送信号またはアナログ放送信号を受信して格納する段階とを含んでなされることを特徴とする予約録画機能を提供する方法。
【請求項１９】
複数の放送信号のうちチャンネルを選択する段階と、
デジタル放送信号を復調し、復調された信号をビデオ信号、オーディオ信号及び放送情報信号に逆多重化する段階と、
前記逆多重化されたビデオ信号、オーディオ信号及び放送情報信号をデコーディングし圧縮されたビデオ信号及びオーディオ信号を出力する段階と、
ドライバー、応用プログラム、及び圧縮されたグラフィックユーザインタフェースデータを格納する段階とを含むことを特徴とする請求項１８に記載の予約録画機能を提供する方法。
【請求項２０】
前記圧縮されたグラフィックユーザインタフェースデータは所定のＭＰＥＧ、ＪＰＥＧ圧縮フォーマットを含む所定のフォーマットに圧縮及び格納されることを特徴とする請求項１９に記載の予約録画機能を提供する方法。
【請求項２１】
前記映像再生装置はデジタルビデオディスク再生装置(ＤＶＤ)を含むことを特徴とする請求項１８に記載の予約録画機能を提供する方法。
【発明の詳細な説明】
【技術分野】
【０００１】
本発明はＶＣＲ、ＤＶＤ及びデジタル放送受信装置を含むコンボシステムに係り、さらに詳しくはコンボシステムに受信されたアナログ放送信号及びデジタル放送信号に対する予約録画を１つのメニュー画面を通じて簡便に行なえるコンボシステム及びその予約録画方法に関する。
【背景技術】
【０００２】
二つ以上の相異なる装置が１つの統合されたシステムに連結されることを‘コンビネーションシステム(combination system)’または‘コンボシステム(combo-system)’と言い、これを‘コンボ(combo)’と略する。コンボシステムの一例として、ＤＶＤＰの機能とＶＣＲの機能を複合的に行なえるように開発されたＤＶＤＰ／ＶＣＲコンボシステムがある。
【０００３】
ＤＶＤＰ／ＶＣＲコンボシステムは、磁気テープに記録された映像と音響を再生する機能及び外部で受信された信号を磁気テープに記録する機能のような一般的なＶＣＲの機能を行なうＶＣＲ部、及びＤＶＤ(digital video disk)に記録された映像と音響を再生する機能のような一般的なＤＶＤＰの機能を行なうＤＶＤＰ部を備えている。
【０００４】
一方、近年ＤＶＤＰとＶＣＲだけではなく、これにデジタル放送受信装置を統合したコンボシステムが開発されている。一般のＤＶＤＰ、ＶＣＲ及びデジタル放送受信装置を含むコンビネーションシステムはそれぞれの装置別に固有の機能を行なうためのプログラムによるアルゴリズムを有している。
【０００５】
また、このようなアルゴリズムによる機能をディスプレイして、ユーザが必要な機能を選択し使用できるようにＯＳＤ(On-Screen Display)機能を通じてユーザに選択メニューを提供する。
【０００６】
これにより、受信されたアナログ放送信号及びデジタル放送信号は実質的にＶＣＲを通じて記録機能が行なわれるが、アナログ放送信号を記録するための各装置別のアルゴリズムと、デジタル放送信号を記録するための各装置別アルゴリズムをそれぞれ具現するようになる。
【０００７】
例えば、予約録画機能を果たすためには基本的に時間情報、時間情報をチェックするブロック、及び予約された時間に録画を行なうための電源供給ブロックが必要である。これに、既存のコンボシステムはそれぞれの装置別に予約録画機能を行なうために設けられたそれぞれのアルゴリズムを用いて機能を行なう。
【０００８】
言い換えれば、アナログ放送信号を受信するＶＣＲでは受信されるアナログ放送信号及び専用ＩＣ(ＶＰＳ／ＰＤＣ)を通じて時間情報を提供され、これに対応する時間情報チェックブロック(例えば、ＲＴＣタイマー)を有する。
【０００９】
これに対応して、デジタル放送信号を受信するデジタル放送信号受信装置出は衛星から伝送される時間情報を提供され、これに対応する時間情報チェックブロックを有する。また、このようにそれぞれの装置別に時間情報をチェックするためには装置別に電源待機モードを必要とする。
【００１０】
また、予約録画のためには装置別にそれぞれ必要なメニューをディスプレイし、別に予約する過程が行なわれるべき不便さがあった。特に、各装置別に受信されたアナログ放送信号とデジタル放送信号がＶＣＲによって記録媒体に記録されることを考慮すれば、予約録画においてＶＣＲの制御とアナログ放送信号受信及びデジタル放送信号受信がそれぞれ別のアルゴリズムによって行なわれることは各装置間の制御が容易でなく、具現が複雑な短所がある。
【発明の開示】
【発明が解決しようとする課題】
【００１１】
本発明は前述した問題点を解決するために案出されたもので、その目的はアナログ放送信号及びデジタル放送信号に対する予約録画を１つのメニュー画面を通じて行なえるコンボシステム及びその予約録画方法を提供するところにある。
【課題を解決するための手段】
【００１２】
前述した目的を達成するための本発明に係るデジタル放送信号を受信するデジタル放送信号受信装置とアナログ放送信号を受信し記録媒体にビデオ／オーディオ信号を記録再生する記録再生装置を含むコンボシステムは、前記アナログ放送信号及び前記デジタル放送信号のうちいずれか１つを選択的に予約録画するための選択モードを入力するためのメニュー画面を提供する制御部及び前記制御部から前記メニュー画面から入力された前記選択モードを格納して、格納された選択モードによって前記アナログ放送信号及び前記デジタル放送信号のうちいずれか１つを前記記録媒体に記録するための予約録画モードを設定する前記記録／再生装置の制御部を含む。
【００１３】
望ましくは、前記メニュー画面は前記アナログ放送信号及び前記デジタル放送信号のうち前記選択モードによる放送チャンネル、開始時間及び終了時間情報データを含む予約録画情報データを入力するための項目を含む。
【００１４】
また、前記デジタル放送信号を予約録画するための前記選択モードが入力された場合、前記メニュー画面から入力された前記予約録画情報データを受信し格納して、前記予約録画情報に基づき前記デジタル放送信号を受信して前記記録再生装置に伝送するための予約録画モードを設定する前記受信装置の制御部をさらに含むことが好ましい。
【００１５】
望ましくは、前記デジタル放送信号を予約録画するための前記選択モードが入力された場合、前記記録/再生装置の制御部は前記開始時間に近接して前記受信装置の制御部に前記予約録画開始を知らせ、前記受信装置の制御部は格納された前記チャンネル情報データに基づき前記デジタル放送信号を選局して前記記録／再生装置に伝送する。
【００１６】
また、前述した目的を達成するための本発明に係るデジタル放送信号を受信するデジタル放送信号受信装置とアナログ放送信号を受信し記録媒体にビデオ／オーディオ信号を記録再生する記録再生装置を含むコンボシステムの予約録画方法は、前記アナログ放送信号及び前記デジタル放送信号のうちいずれか１つを選択的に予約録画するための選択モードを入力するためのメニュー画面を提供する段階及び前記メニュー画面から入力された前記選択モードを格納して、格納された選択モードによって前記アナログ放送信号及び前記デジタル放送信号のうちいずれか１つを前記記録媒体に記録するための予約録画モードを設定する段階を含む。
【００１７】
望ましくは、前記メニュー画面は前記アナログ放送信号及び前記デジタル放送信号のうち前記選択モードによる放送チャンネル、開始時間及び終了時間情報データを含む予約録画情報データを入力するための項目を含む。
【００１８】
さらに望ましくは、前記デジタル放送信号を予約録画するための前記選択モードが入力された場合、前記メニュー画面から入力された前記予約録画情報データを受信し格納して、前記予約録画情報に基づき前記デジタル放送信号を受信して前記記録再生装置に伝送するための予約録画モードを設定する段階をさらに含む。
【００１９】
また、前記デジタル放送信号を予約録画するための前記選択モードが入力された場合、前記記録/再生装置の制御部は前記開始時間に近接して前記受信装置の制御部に前記予約録画開始を知らせ、前記受信装置の制御部は格納された前記チャンネル情報データに基づき前記デジタル放送信号を選局して前記記録/再生装置に伝送することが好ましい。
【発明の効果】
【００２０】
本発明によれば、１つのメニュー画面を通じてアナログ放送信号及びデジタル放送信号の予約録画機能を設定して簡単に予約録画を行なうコンボシステムを具現することによってシステムのハードウェア具現が簡単に行なえ、コンボシステムに装着された各装置を効率よく制御して予約録画が行なえる。
【発明を実施するための最良の形態】
【００２１】
以下、添付した図面に基づき本発明を詳述する。
【実施例】
【００２２】
図１は本発明の一実施の形態に係るコンボシステムのブロック図である。図１を参照すれば、コンボシステムはＤＴＴ(Digital Terrestrial Television)部１００、ＤＶＤ(Digital Video Disk player)部２００及びＶＣＲ(Video Cassette Recorder)部３００を備える。本実施形態ではコンボシステムがＤＴＴ、ＤＶＤ及びＶＣＲを含むが、本発明はこのようなコンボシステムに限らず、アナログ放送信号とデジタル放送信号を受信して録画する機能を果たすコンボシステムに全て適用できる。
【００２３】
ＤＴＴ部１００は外部から流入されるデジタル放送信号を選局して復調する、デジタル放送受信用セットトップボックス(Set Top Box)である。
【００２４】
ＤＶＤ部２００はＣＤ、ＤＶＤなどのような光記録媒体に記録された映像データを再生する装置である。
【００２５】
ＶＣＲ部３００はＶＣＲテープのような磁気記録媒体に映像データを記録したり、その記録媒体に記録された映像データを再生する記録／再生装置である。また、ＶＣＲ部３００は外部から流入されるアナログ放送信号を選局して復調する機能も果たせる。
【００２６】
ＤＴＴ部１００、ＤＶＤ部２００及びＶＣＲ部３００は１つのケースに一体化される。従って、コンボシステムは外形的にみると１つの機器である。これにより、コンボシステムではユーザ入力装置と外部装置連結端子を統合的に具現できる。
【００２７】
コンボシステムに具備されたＤＴＴ部１００、ＤＶＤ部２００及びＶＣＲ部３００はそれぞれ個別的に機能できることは勿論、相互連結され複合的に機能することもできる。複合的機能の例として、ＤＴＴ部１００で受信されたデジタル放送信号をＶＣＲ部３００に記録する場合やＤＶＤ部２００で再生される映像データをＶＣＲ部３００に記録する場合などが挙げられる。
【００２８】
また、コンボシステムはＴＶやカムコーダなどのような外部機器と連結され得る。この場合、コンボシステムを受信した放送信号や再生された映像信号を外部機器に出力することができる。また、外部機器から出力される映像信号を入力され記録することもできる。
【００２９】
一方、コンボシステムでは前述したＤＴＴ部１００、ＤＶＤ部２００及びＶＣＲ部３００を全て具備すべきことではない。前述した各部１００、２００、３００をコンボシステムに結合／分離が可能なように具現して、ユーザの選択や必要に応じて各部１００、２００、３００を選択的に具備させて具現することもできる。
【００３０】
一例に、デジタル放送受信用ＴＶを保有しているユーザにとってＤＴＴ部１００は要らない。従って、この場合はＤＴＴ部１００がないコンボシステムを具現できる。
【００３１】
以下、前述したＤＴＴ部１００、ＤＶＤ部２００及びＶＣＲ部３００に対して詳述する。まず、ＤＴＴ部１００について詳述する。
【００３２】
ＤＴＴ部１００はチューナ１１０、復調部１２０、デコーダ１３０、ＤＴＴ制御部１４０、ＤＴＴメモリ部１５０及びＤＴＴメニュー格納部１６０を備える。
【００３３】
チューナ１１０は地上波、衛星、ケーブルなどから流入される複数のデジタル放送信号のうちユーザが選択したチャンネルを選局する。
【００３４】
復調部１２０はチューナ１１０から出力されるデジタル放送信号を復調する。そして、復調された放送信号をビデオ信号、オーディオ信号及び放送情報信号に逆多重化(demultiplexing)する。
【００３５】
デコーダ１３０は逆多重化されたビデオ信号、オーディオ信号及び放送情報信号を復号化する。 復調部１２０から出力されるビデオ信号とオーディオ信号は所定フォーマットに圧縮された信号である。従って、デコーダ１３０は圧縮されたビデオ信号とオーディオ信号を伸張して出力する。ここで、圧縮されたビデオ信号とオーディオ信号はＭＰＥＧフォーマットであることが一般的である。
【００３６】
デコーダ１３０から出力されるビデオ信号とオーディオ信号はＤＴＴ変換部(図示せず)を通じて、ＴＶのような外部機器で再生可能なフォーマットで変換される。
【００３７】
また、デコーダ１６０は後述するＤＴＴメニュー格納部１６０に圧縮され格納されたＧＵＩ(Graphic User Interface)データを伸張して出力する。
【００３８】
ＤＴＴ制御部１４０はＤＴＴ部１００の全般的な動作を制御する。具体的に、ＤＴＴ制御部１４０はチューナ１１０の選局動作とデコーダ１３０の復号化動作などを制御する。そして、ＤＴＴ制御部１４０は後述するＶＣＲ制御部３６０と通信可能なように連結され、ＶＣＲ制御部３６０の制御に拘束され動作する。
【００３９】
ＤＴＴメモリ部１５０にはＤＴＴ制御部１４０に必要な駆動プログラム、応用プログラムなどと電源がオフされても保存されるべき重要なデータが格納される。また、ＤＴＴメモリ部１５０には後述するデジタル放送予約録画機能が設定される場合、予約録画に対する情報データが格納される。
【００４０】
ＤＴＴメニュー格納部１６０にはＧＵＩ環境の構築に必要なメニュー画面のようなＧＵＩデータなどが格納される。必要に応じて(例えば、データの容量が大きい場合)、ＧＵＩデータは所定フォーマットに圧縮され格納され得る。この際、圧縮フォーマットとしてＭＰＥＧフォーマットやＪＰＥＧフォーマットなどが適用され得る。
【００４１】
ＤＶＤ部２００に対する具体的な説明は次の通りである。
ＤＶＤ部２００はＤＶＤコデック(COrder/DECoder)２１０、ＤＶＤ信号処理部２２０、ＤＶＤデッキ部２３０、ＤＶＤ制御部２４０、ＤＶＤメモリ部２５０及びＤＶＤ/ＶＣＲメニュー格納部２６０を備える。
【００４２】
ＤＶＤデッキ部２３０は挿入されたＣＤ、ＤＶＤに記録されたデータを読み取る。
ＤＶＤ信号処理部２２０はＤＶＤデッキ部２３０から印加された再生対象データに対してエラー訂正などの信号処理を行なう。
【００４３】
ＤＶＤコデック２１０は印加される記録対象データを所定フォーマットの信号に圧縮してＤＶＤ信号処理部２２０に印加する。一方、ＤＶＤコデック２１０はＤＶＤ信号処理部２２０から再生対象データを印加されると、これを伸張して出力する。この際、圧縮フォーマットとしてＭＰＥＧフォーマットなどが適用され得る。
【００４４】
ＤＶＤコデック２１０から出力される伸張されたデータはＤＶＤ変換部(図示せず)を通じて、ＴＶのような外部機器で再生可能なフォーマットに変換される。
また、ＤＶＤコデック２１０は後述するＤＶＤ／ＶＣＲメニュー格納部２６０に圧縮され格納されたＧＵＩデータを伸張して出力する。
【００４５】
ＤＶＤ制御部２４０はＤＶＤ部２００の全般的な動作を制御する。具体的に、ＤＶＤ制御部２４０はＤＶＤコデック２１０の圧縮/伸張動作、ＤＶＤ信号処理部２２０の信号処理動作、ＤＶＤデッキ部２３０の記録/再生動作などを制御する。そして、ＤＶＤ制御部２４０は後述するＶＣＲ制御部３６０と通信可能なように連結され、ＶＣＲ制御部３６０の制御に拘束され動作する。
【００４６】
ＤＶＤメモリ部２５０にはＤＶＤ制御部２４０に必要な駆動プログラム、応用プログラムなどと電源がオフされても保存されるべき重要なデータが格納される。
【００４７】
ＤＶＤ／ＶＣＲメニュー格納部２６０にはＤＶＤ部２００と関連するＧＵＩデータが格納され、ＶＣＲ部３００と関したＧＵＩデータも共に格納される。必要に応じて、それぞれのＧＵＩデータは所定フォーマットに圧縮され格納でき、圧縮フォーマットとしてＭＰＥＧフォーマット、ＪＰＥＧフォーマットなどが適用できる。
【００４８】
ＶＣＲ部３００に対する具体的な説明は次の通りである。
ＶＣＲ部３００はアナログ放送受信部３１０、映像信号スイッチング部３２０、入出力端子部３３０、ＶＣＲ信号処理部３４０、ＶＣＲデッキ部３５０、ＶＣＲ制御部３６０、ＶＣＲメモリ部３７０及び操作部３８０を備える。
【００４９】
アナログ放送受信部３１０は外部から流入される複数のアナログ放送信号のうちユーザが選択したチャンネルを選局し、選局された放送信号を復調して出力する。
【００５０】
ＶＣＲデッキ部３５０は挿入された磁気テープにデータを書き込んだり、それに書き込まれたデータを読取る。
【００５１】
ＶＣＲ信号処理部３４０はＶＣＲデッキ部３５０に印加する記録対象データを磁気テープに記録可能なフォーマットに変換させる。また、ＶＣＲ信号処理部３４０はＶＣＲデッキ部３５０から印加された再生対象データをＴＶのような外部機器で再生可能なフォーマットに変換する。
【００５２】
映像信号スイッチング部３２０はＤＴＴ部１００、ＤＶＤ部２００、アナログ放送受信部３１０及びＶＣＲ信号処理部３４０から出力される映像信号を選択的に入出力端子部３３０に伝達する。また、映像信号スイッチング部３２０は入出力端子部３３０を通じて外部機器から伝達される映像信号をＤＶＤ部２００及びＶＣＲ信号処理部３４０に選択的に伝達する。
【００５３】
映像信号スイッチング部３２０はマルチプレキシング機能を果たすＭＵＸ ＩＣで具現できる。そして、映像信号スイッチング部３２０はＶＣＲ制御部３６０の制御により、前述したような映像信号の伝達経路を設定するようになる。
【００５４】
入出力端子部３３０は映像信号スイッチング部３２０から出力される映像信号を外部機器に伝達し、外部機器から出力される映像信号を映像信号スイッチング部３２０に伝達する。
【００５５】
ＶＣＲ制御部３６０は操作部３８０を通じて入力されるユーザの操作命令に従って、コンボシステムの全般的な動作を制御する。そして、ＶＣＲ制御部３６０はＤＴＴ制御部１４０、ＤＶＤ制御部２４０と通信可能なように連結され、これらの制御動作を制御する。従って、ＶＣＲ制御部３６０はコンボシステムの中枢的な機能を担うメイン制御部として動作する。
【００５６】
ユーザの操作命令がＶＣＲ部３００の動作と関したものの場合、ＶＣＲ制御部３６０はそれによってＶＣＲ部３００の動作を制御する。具体的に、ＶＣＲ制御部３６０はアナログ放送受信部３１０の受信動作、映像信号スイッチング部３２０のスイッチング動作、ＶＣＲ信号処理部３４０の信号処理動作、ＶＣＲデッキ部３５０の記録/再生動作などを制御する。
【００５７】
一方、ユーザの操作命令がＤＴＴ部１００やＤＶＤ部２００の動作と関したものの場合、ＶＣＲ制御部３６０はその操作命令をＤＴＴ制御部１４０やＤＶＤ制御部２４０に伝達する。すると、操作命令を伝達されたＤＴＴ制御部１４０やＤＶＤ制御部２４０がそれにより制御動作を行なう。
【００５８】
ＶＣＲメモリ部３７０にはＶＣＲ制御部３６０に必要な駆動プログラム、応用プログラムなどと電源がオフされても保存されるべき重要なデータが格納される。かつ、コンボシステムの総括的な機能や複合的な機能に関したプログラムが格納される。
【００５９】
操作部３８０はコンボシステムの機能選択及び動作制御と関連する操作命令を入力されるためのユーザインタフェース装置である。操作部３８０はコンボシステムの前方部に設けられることが一般的である。その他、操作部３８０はユーザの操作命令を入力するためのリモコンとリモコンの出力信号をＶＣＲ３６０に伝達するリモコン受信部で具現できる。
【００６０】
図２Ａ及び図２Ｂは図１に示したコンボシステムの予約録画方法を説明するためのフローチャートであり、図３Ａ及び図３Ｂは本発明に係る複合機器の予約録画方法に対するフローチャートである。以下、図面を参照して本発明の一実施形態によるコンボシステムの予約録画方法を詳述する。
【００６１】
コンボシステムにおいて予約録画選択モードはアナログ放送信号を予約録画するＶＣＲ予約録画モードとデジタル放送信号を予約録画するＤＴＴ予約録画モードとに分かれ、このような予約録画機能を１つのメニューを通じて行なう。
【００６２】
すなわち、ＶＣＲ予約録画モードはアナログ放送受信部３１０を通じて受信されるアナログ放送信号に対して予約録画を行なうものであり、ＤＴＴ予約録画モードはＤＴＴ部１００のチューナ１１０を介して受信されるデジタル放送信号に対して予約録画を行なうもので、ＶＣＲ部３００のＶＣＲ制御部３６０によって全体コンボシステムの予約録画機能を制御する。
【００６３】
まず、 図３Ａに基いてコンボシステムの放送信号の予約録画設定過程につき説明する。
【００６４】
ユーザはコンボシステムの放送信号を予約録画するためのメニュー画面の出力のために操作部３８０に設けられたメニューキー（図示せず）を押える(Ｓ４１０)。メニューキーが選択されれば、ＶＣＲ制御部３６０は操作部３８０からメニューキーが入力されたことを知らせるキー信号を受信してＤＶＤ制御部２４０にメニュー出力を命令する制御信号を伝送する。これにより、ＤＶＤ制御部２４０はＤＶＤコデック２１０を制御してＤＶＤ／ＶＣＲメニュー格納部２６０に格納されたＧＵＩデータを伸張し、図３Ａ及び図３Ｂに示したようなメニュー画面を出力する(Ｓ４１５)。
【００６５】
図３Ａを参照すれば、メインメニュー画面には左側にコンボシステムの環境設定のための下位メニューを表すアイコンである“ＳＥＴＵＰ”アイコン、ＤＶＤ部２００の機能を設定するための下位メニューを表すアイコンである“ＤＶＤ”アイコン、ＶＣＲ部３００の機能を設定するための下位メニューを表すアイコンである"ＶＣＲ"アイコン、ＤＴＴ部１００の機能を設定するための下位メニューを示すアイコンである“ＤＴＴ”アイコン及びコンボシステムの全体的なプログラム設定のための下位メニューを示すアイコンの“PROG”アイコンが示されている。
【００６６】
ここでは、コンボシステムの予約録画設定のためにメインメニュー画面で“ＰＲＯＧ”アイコンを選択し、再びその下位メニューとして“standard”と“ShowView”が現れると、“ShowView”を選択して図３ｂに示された予約録画情報データ選択のためのメニュー画面を出力する。
【００６７】
図３Ｂを参照すれば、予約録画のための情報データは“ＰＲ”、“Ｄａｙ”、“Ｓｔａｒｔ”、“Ｓｔｏｐ”、“Ｓｐｅｅｄ”及び“Ｖ／Ｐ”を含む。これにより、ユーザは予約録画設定メニュー画面で予約録画選択モード情報及び予約録画情報データを入力する(Ｓ４２０)。まず、“ＰＲ”では予約録画選択モード情報をとりあえず入力する。すなわち、アナログ放送信号を予約録画するＶＣＲ予約録画モード及びデジタル放送信号を予約録画するＤＴＴ予約録画モードのうちいずれか１つを選択して、例えば“ＰＲ”が選択されハイライトで表示された画面上で操作部３８０の上下キーを選択してＶＣＲ予約録画モードを表示する“Ａ”及びＤＴＴ予約録画モードを表示する“Ｄ”を選択することができる。これにより、アナログ放送信号を予約録画するかデジタル放送信号を予約録画するかが選択され、選択されたアナログ放送信号またはデジタル放送信号に対する予約録画モードが設定される。次いで、アナログ放送信号またはデジタル放送信号予約録画選択モードによる放送チャンネルを選択する。すなわち、“ＰＲ”において右側に移動して選択されたアナログ放送信号に対する録画対象放送チャンネルまたはデジタル放送信号に対する録画対象放送チャンネルを選択する。
【００６８】
“Ｄａｙ”では予約録画が行なわれる日付及び周期を選択できる。すなわち、予約録画を一回的に行なうか、あるいは毎週や毎日行なうか、あるいは特定曜日毎に行なうかを選択する。“Ｓｔａｒｔ”では予約録画を開始する時間を入力し、“Ｓｔｏｐ”では予約録画を終了する時間を入力する。“Ｓｐｅｅｄ”では予約録画を標準録画速度で行なうか、あるいは磁気テープなどの記録媒体で２倍速やそれ以上の速度で行なうかなどを選択する。また、“Ｖ／Ｐ”ではＰＣＤモードまたはＶＰＳ／ＰＤＣモードを選択する。
【００６９】
ユーザによって予約録画選択モード及び予約録画情報データが入力されれば、ＤＶＤ制御部２４０は入力された選択モード及び予約録画情報データをＶＣＲ制御部３６０に伝送する(Ｓ４２５)。これにより、ＶＣＲ制御部３６０は予約録画選択モード及び予約録画情報データをＶＣＲメモリ部３７０に保存し（Ｓ４３０）、ＶＰＳまたはＶＰＳ/ＰＤＣモードによって自体タイマーまたは別のタイマーによってアナログ放送信号予約録画のためのＶＣＲ予約録画モードまたはデジタル放送信号予約録画のためのＤＴＴ予約録画モードを設定する。また、予約録画選択モードによってデジタル放送信号録画のためのＤＴＴ予約録画モードが選択されたかを判断して(Ｓ４３５)、ＤＴＴ予約録画モードが選択された場合、予約録画情報データをＤＴＴ制御部１４０に伝送する(Ｓ４４０)。従って、ＤＴＴ制御部１４０は予約録画情報データをＤＴＴメモリ部１５０に保存して、保存された予約録画情報データに基づくデジタル放送信号を受信してＶＣＲ部３００に伝送するための予約録画モードを設定する(Ｓ４４５)。
【００７０】
このように所定のアナログ放送信号またはデジタル放送信号に対して予約録画モードが設定された後、予約録画が行なわれる過程は図２Ｂを参照して説明する。
【００７１】
ＶＣＲ制御部３６０はタイマーを介して提供される時間情報をチェックし、ＶＣＲメモリ部３７０に保存された予約録画情報データをチェックする(Ｓ４５０)。
【００７２】
ＶＣＲ制御部３６０は予約録画情報データ、すなわち開始時間に対して所定時間以前に予約録画がＶＣＲ予約録画モードまたはＤＴＴ予約録画モードであるかを判断して(Ｓ４５５)、ＤＴＴ予約録画モードの場合ＤＴＴ制御部１４０に予約録画開始を知らせ、ＤＴＴ制御部１４０はＤＴＴメモリ部１５０に保存された予約録画情報データのうちチャンネル情報データによってチューナ１１０を制御して選択されたデジタル放送チャンネルに放送信号を選局するようにする(Ｓ４６０)。
【００７３】
また、ＶＣＲ予約録画モードの場合、ＶＣＲ制御部３６０はＶＣＲメモリ部３７０に既に保存された予約録画情報データのうち選択されたアナログ放送信号のチャンネル情報データにＥｋｆｋアナログ放送受信部３１０を制御して選択された放送チャンネルの放送信号を選局する(Ｓ４６５)。
【００７４】
従って、ＶＣＲ制御部３６０はＤＴＴ部１００またはアナログ放送受信部３１０から伝送された放送信号を所定の信号処理を通じてＶＣＲデッキ部３５０で記録媒体に記録するようＶＣＲ部３００を制御する(Ｓ４７０)。
【００７５】
その後、ＶＣＲ制御部３６０は時間情報をチェックして予約録画情報データのうち終了時間情報に合わせてＶＣＲデッキ部３５０を制御して放送信号の記録を停止させる。
【００７６】
このようにコンボシステムで１つのメニュー画面を通じて簡単に予約録画を設定しＶＣＲ部で予約録画を行なうことによってシステムのハードウェア具現をさらに簡単に行なえ、コンボシステムに装着された各装置の制御を効率よく行なえる。
【産業上の利用可能性】
【００７７】
本発明はＶＣＲ、ＤＶＤ及びデジタル放送受信装置を含むコンボシステムのようなデジタル放送受信及び録画システムに適用される。
【図面の簡単な説明】
【００７８】
【図１】本発明の一実施形態に係るコンボシステムのブロック図である。
【図２Ａ】図１に示されたコンボシステムの予約録画方法を説明するためのフローチャートである。
【図２Ｂ】図１に示されたコンボシステムの予約録画方法を説明するためのフローチャートである。
【図３Ａ】図１に示されたコンボシステムの予約録画方法を説明するための図である。
【図３Ｂ】図１に示されたコンボシステムの予約録画方法を説明するための図である。
【符号の説明】
【００７９】
１００      ＤＴＴ部                          
１１０      チューナ
１４０      ＤＴＴ制御部                      
１５０      ＤＴＴメモリ部
１６０      ＤＴＴメニュー格納部              
２００      ＤＶＤ部 
２４０      ＤＶＤ制御部                      
２６０      ＤＶＤ/ＶＣＲメニュー格納部 
３００      ＶＣＲ部                          
３１０      アナログ放送受信部
３５０      ＶＣＲデッキ部                    
３６０      ＶＣＲ制御部
３７０      ＶＣＲメモリ部                    
３８０      操作部   
【図１】
2005260941.tif 000003
【図２Ａ】
2005260941.tif 000004
【図２Ｂ】
2005260941.tif 000005
【図３Ａ】
2005260941.tif 000006
【図３Ｂ】
2005260941.tif 000007